(57)【特許請求の範囲】
【請求項１】
自局が形成するセルに隣接するセルを形成する他の無線基地局と無線基地局制御装置を介して接続された無線基地局において、
前記無線基地局制御装置により測定された、自局の送信する所定のフレームと、前記他の無線基地局が送信する所定のフレームとの時間差情報を、自局の形成するセル内の移動局に報知する報知手段、
を備えたことを特徴とする無線基地局。
【請求項２】
前記自局の送信する所定のフレームと、前記他の無線基地局が送信する所定のフレームは、フレーム番号が同じフレームであることを特徴とする請求項１記載の無線基地局。
【請求項３】
前記自局の送信する所定のフレームと、前記他の無線基地局が送信する所定のフレームは、それぞれ報知情報インデックス情報を含むフレームであることを特徴とする請求項１記載の無線基地局。
【請求項４】
自局が在圏する第１のセルと該第１のセルと隣接する第２のセルとを管理する無線基地局制御装置により測定された、該第１のセルで送信される所定のフレームと、該第２のセルで送信される所定のフレームとの時間差情報を、該第１のセルで送信される報知情報により取得する取得手段と、
該第１セルで送信されるフレームのタイミングと、取得した該時間差情報とに基づいて該第２のセルで送信される報知情報の受信を行う受信手段と、
を備えたことを特徴とする移動通信システムで用いられる移動局。
【請求項５】
自局が在圏する第１のセルと該第１のセルと隣接する第２のセルとを管理する無線基地局制御装置により測定された、該第１のセルで送信される所定のフレームと、該第２のセルで送信される所定のフレームとの時間差情報を、該第１のセルで送信される報知情報により取得する取得手段と、
該報知情報により取得した時間差情報と前記第１のセルから受信した下りデータチャネルのフレームタイミングとに基づいて、オフセット情報を送信する送信手段と、
を備えたことを特徴とする移動通信システムで用いられる移動局。
【発明の詳細な説明】
【技術分野】
【０００１】
本発明は、移動通信システムにおける無線基地局及び移動局に関連する。
【背景技術】
【０００２】
移動通信システムは、それぞれセルを構成する複数の無線基地局を備えている。移動局は、そのセル内で通信を行うことができる。移動局があるセルから他のセルへ移動した場合は、無線基地局間でハンドオーバ処理が実行されるため、移動局は通信を継続しながらセル間を移動することができる。【０００３】
図１は、移動局が無線基地局から受信する信号（例えば、ＣＰＩＣＨ；Ｃｏｍｍｏｎ  Ｐｉｌｏｔ  Ｃｈａｎｎｅｌ、ＰＣＣＰＣＨ；Ｐｒｉｍａｒｙ  Ｃｏｍｍｏｎ  Ｃｏｎｔｒｏｌ  Ｐｈｙｓｉｃａｌ  ＣＨａｎｎｅｌ）のフレーム構成を示す。図示される各フレームは、例えば１０ｍｓで構成され、４０９６個のフレームで、システムフレーム又はスーパーフレームが形成される。尚、ＣＰＩCＨはセルにおいてタイミングの基準となるチャネルであり、ＰＣＣＰＣＨはこれに同期して送信されている。【０００４】
次に、待ち受け時における移動局のセル間の移動について説明する。【０００５】
移動局は電源投入後、自局が属するセル（サービングセル）において待ち受け状態となり、そのセルを形成する無線基地局からの下り信号（例えば、ＣＰＩＣＨ、ＰＩＣＨ；Ｐａｇｅ  Ｉｎｄｉｃａｔｉｏｎ  Ｃｈａｎｎｅｌ）を定期的（間欠的）に受信する。従って、待ち受け状態では、常時信号を受信する必要はなく、電力消費を抑えながら、ＣＰＩＣＨによりサービングセルから受信信号のレベル測定や、ＰＩＣＨにより自局宛ての着信があるかどうかのチェックをしている。
移動局は、サービングセルのＣＰＩＣＨの受信レベル低下等により、サービングセルの端に移動したことを検出すると、３段階セルサーチ（Ｐ−ＳＣＨ、Ｓ−ＳＣＨ、ＣＰＩＣＨを用いたフレーム同期の確立処理）を実行する。
ここで、サービングセルからＣＰＩＣＨの受信レベルに対して十分大きい受信レベルであるＣＰＩＣＨを隣接セルから受信できた場合は、当該隣接セルを形成する無線基地局を新たな待ち受けの対象として切り換える、いわゆる待ち受けゾーンの移行処理が実行される。【０００６】
ここで、待ち受けの対象を切り換える際に、新たなセル内における待ち受けの条件を報知情報（ＰＣＣＰＣＨを介して送信される情報）の受信により取得する必要がある。【０００７】
図２は、ＰＣＣＰＣＨの伝送情報の構成を示している。【０００８】
図において、報知情報インデックス、報知情報はそれぞれ１つの情報単位を形成する情報ブロックであり、図１における２つのフレームで１つの情報ブロックが形成されることとなる。例えば、図１における偶数フレーム（例えば＃０）と、奇数フレーム（＃１）に対応するブロックが情報ブロックインデックス＃０となる。
尚、符号化単位もこの１つの情報ブロックとされ、１つの情報ブロック内には、１つのフレーム番号が格納される。例えば、図１でフレーム＃０、＃１に対応する情報ブロック内には、偶数フレーム番号の＃０のみが格納される。【０００９】
次に送信される情報について簡単に説明する。【００１０】
報知情報インデックスは、ＰＣＣＰＣＨにおいて、どのような情報がどこに含まれているかを示しており、例えば、８の倍数をフレーム番号として格納する情報ブロックで送信され、８０ｍｓごとに定期的に送信される。
移動局は、セルサーチにより検出したフレームの先頭ｔｃから受信を開始し、ＰＣＣＰＣＨの情報ブロックを１つ受信し、受信情報に含まれるフレーム番号を特定（ここでは♯４）する。そして、特定したフレーム番号が８の倍数であるか、即ち、報知情報インデックスを含むかどうか判定し、８の倍数でない場合は、後続フレームのうち、フレーム番号が初めて８の倍数となるであろうフレーム（♯８）の受信タイミング（ｔＡ）を算定し、ｔＡで再度、情報ブロックを受信する。【００１１】
そして、移動局は、受信した報知情報インデックスに基づいて、待ち受けに必要となる情報が格納されている情報ブロックの受信タイミングを算出（ｔＢ）し、ｔＢから情報ブロックの受信を行う。タイミングｔＢで送信される情報ブロックには、待ち受け条件等の情報が格納されているから、移動局は、その情報に従って、隣接無線基地局での待ち受け状態に移行することができることとなる。
尚、移動局は、隣接する無線基地局の送信するフレーム（ＣＰＩＣＨ、ＰＣＣＰＣＨ）に同期をするものの、受信を開始するフレームが、偶数番号のフレームか奇数番号のフレームかの判断ができないため、ｔＣ'の時点から受信を開始することもある。【００１２】
しかし、先に説明したように、符号化単位は２つのフレームであり、ｔＣ'から受信を開始しても情報ブロックの復号することができない。
そこで、ｔＣ'から２０ｍｓ分だけ受信するとともに、１０ｍｓ後のｔＣからも２０ｍｓ受信も行い、正しく復号できた側の復号結果からフレーム番号（偶数番号）を抽出することとなる。【００１３】
次に、あるセル内で通信している移動局が別のセルにハンドオーバする場合について図３を用いて説明する。【００１４】
一定時間のタイマーのタイムアウト等を契機として、移動局は、前述同様３段階セルサーチにより、ソフトハンドオーバ先の無線基地局とのフレーム同期を確立し、ＰＣＣＰＣＨの2フレームを受信してフレーム番号を取得しハンドオーバーの準備を事前に行う。ハンドオーバーは、ハンドオーバー先のＣＰＩＣＨ受信レベルが十分良くなってから行うが、事前に準備を行わないと高速移動時などで処理が間に合わず通信が切断する危険があるためである。【００１５】
ここで、フレーム番号を取得するのは、ハンドオフ元とハンドオフ先から同じデータを送信する際のタイミング調整を行うためである。
従って、移動局は、隣接する無線基地局のＰＣＣＰＣＨを介して取得したフレーム番号と同じフレーム番号を有するソフトハンドオーバ元の無線基地局からの下りデータチャネルのフレームとのタイミング差（ｔoff'）を算出し、ハンドオフ元の無線基地局にオフセット情報として通知する。尚、ハンドオーバ元の無線基地局からのＰＣＣＰＣＨと下りデータチャネルとは、ｔoffだけオフセットがあるものとする。【００１６】
また、移動局より、オフセット情報（ｔoff'）を通知されたハンドオフ元の無線基地局は上位装置である無線基地局制御装置（ＲＮＣ；Ｒａｄｉｏ  Ｎｅｔｗｏｒｋ  Ｃｏｎｔｒｏｌｌｅｒ）に転送され、ハンドオフ先の無線基地局はＲＮＣからの指示に従って（時間差ｔｏｆｆ'に基づいて）、当該移動局への下りデータチャネルの送信タイミングが移行元のデータチャネルの送信タイミングと同期するようにしてデータの送信を行う。
従って、移動局は、ハンドオフ元及びハンドオフ先の無線基地局から同一のデータを同時に受信可能ないわゆるソフトハンドオーバモードに移行することとなる。【００１７】
上述のように、待ち受け状態において他のセルに移行（ハンドオーバ）する場合や通信中の移動局がセル間をハンドオーバする場合には、移動局は、３段階セルサーチを実行するとともに、移行先の無線基地局から伝送されるフレームの番号を知る必要があり、処理負荷がかかる。
処理負荷を軽減する１つの手法として、報知情報に基準時間差ＲＴＤ（Reference
Time Difference）含める方法がある。基準時間差ＲＴＤは、移行元セルで伝送されているフレームと隣接セルである移行先セルで伝送される直近のフレームとの間の時間差（即ち、任意のフレーム間の時間差）である。【００１８】
従って、移動局は移行元のセルからこのＲＴＤを受信し、移行元のフレームを基準としてＲＴＤだけ遅延させたタイミングを隣接セルのフレームタイミングとして適用し、フレーム同期を図ることで３段階セルサーチを省略することができる。
基準時間差ＲＴＤを移動局の位置検出に使用する従来の技術については、例えば、特開２００２−２６２３３０号公報に開示されている。
【発明の開示】
【発明が解決しようとする課題】
【００１９】
上述のように、ＲＴＤを用いることでセルサーチのための処理負担は軽減される。しかし、例えば待ち受け状態においてセルの移行を行う場合には、移行先セルから送信されるフレームを実際に受信し、受信データに含まれるフレーム番号に基づいて必要とする情報が格納されているフレームを特定して、特定したフレームを再度受信しなければならず、この処理負荷は軽減されない。【００２０】
また、例えば通信中においてハンドオーバを行う場合には、移行先セルから送信されるフレームを実際に受信し、移行元セルからの同じフレーム番号のフレームとのずれを測定しなければならず、この処理負荷は軽減されない。
本発明は、移動局の処理負荷を更に軽減させることを目的の１つとする。
好ましくは、特に、待ち受け時、ハンドオーバ時において必要とされる情報を速く取得すること、若しくは、必要とされる情報を取得するまでに必要とされる処理を軽減することを目的の１つとする。【００２１】
尚、後述する実施形態において明らかとなる、従来技術に対して有利な効果を相する構成を提供することも別の目的の１つとして位置付けられる。
【課題を解決するための手段】
【００２２】
（１）一実施例によれば、自局が形成するセルに隣接するセルを形成する他の無線基地局と無線基地局制御装置を介して接続された無線基地局において、
前記無線基地局制御装置により測定された、自局の送信する所定のフレームと、前記他の無線基地局が送信する所定のフレームとの時間差情報を、自局の形成するセル内の移動局に報知する報知手段、
を備えたことを特徴とする無線基地局が使用される。
【００２３】
（２）また、本発明においては、前記自局の送信する所定のフレームと、前記隣接する無線基地局が送信する所定のフレームは、フレーム番号が同じフレームであることを特徴とする（１）記載の無線基地局を用いる。【００２４】
（３）また、本発明においては、前記自局の送信する所定のフレームと、前記隣接する無線基地局が送信する所定のフレームは、それぞれ報知情報インデックス情報を含むフレームであることを特徴とする（１）記載の無線基地局を用いる。【００２５】
（４）一実施例によれば、移動通信システムにおいて、
自局が在圏する第１のセルと該第１のセルと隣接する第２のセルとを管理する無線基地局制御装置により測定された、該第１のセルで送信される所定のフレームと、該第２のセルで送信される所定のフレームとの時間差情報を、該第１のセルで送信される報知情報により取得する取得手段と、
該第１セルで送信されるフレームのタイミングと、取得した該時間差情報とに基づいて該第２のセルで送信される報知情報の受信を行う受信手段と、
を備えたことを特徴とする移動局が使用される。
【００２６】
（５）一実施例によれば、移動通信システムにおいて、
自局が在圏する第１のセルと該第１のセルと隣接する第２のセルとを管理する無線基地局制御装置により測定された、該第１のセルで送信される所定のフレームと、該第２のセルで送信される所定のフレームとの時間差情報を、該第１のセルで送信される報知情報により取得する取得手段と、
該報知情報により取得した時間差情報と前記第１のセルから受信した下りデータチャネルのフレームタイミングとに基づいて、オフセット情報を送信する送信手段と、
を備えたことを特徴とする移動局が使用される。
【発明の効果】
【００２７】
本発明によれば、移動局の処理負荷を更に軽減させることができる。
【図面の簡単な説明】
【００２８】
【図１】無線基地局から送信されるＣＰＩＣＨ等のフレーム構成を示す図である。
【図２】ＰＣＣＰＣＨを介して送信されるデータ構成を示す図である。
【図３】ハンドオーバを行なう際に必要となるオフセットの算出方法を示す図である。
【図４】本発明の一実施例による無線通信システムの概略ブロック図を示す。
【図５】無線基地局制御装置の機能ブロック図を示す。
【図６】移動局の詳細な機能ブロック図を示す。
【符号の説明】
【００２９】
６０２  コアネットワーク，６０４  ＲＮＣ，６０６  無線基地局，６０８  サービスエリア，６１０  移動局
７０２  ＲＦ無線インターフェース，７０４  モデム部，７０６  モデム制御部，７０８  コーデック部，７１０  デュアルポートＲＡＭ，７１２，７１４  割込制御部，７１６  ＲＩＳＣ部，７１８  タイミング管理部，７４２  復調部，７４４  セルサーチ部，７４６  レベル測定部
１００２  基準時間差測定部，１００４  フレーム番号検出部，１００６  システムフレーム時間差測定部，  １００８  報知情報作成部
【発明を実施するための最良の形態】
【００３０】
以下、本発明を実施するための形態を複数の実施例に分けて説明する。
【実施例１】
【００３１】
図４は、本発明の一実施例による無線通信システムを示す。無線通信システムは、コアネットワーク（ＣＮ：Ｃｏｒｅ  Ｎｅｔｗｏｒｋ）６０２と、複数の無線基地局制御装置（ＲＮＣ：Ｒａｄｉｏ  Ｎｅｔｗｏｒｋ  Ｃｏｎｔｒｏｌｌｅｒ）６０４−１，６０４−２と、複数の無線基地局６０６−１（ＢＴＳ１），６０６−２（ＢＴＳ２）と、移動局６１０とを含む。各無線基地局はセル６０８−１，６０８−２をそれぞれ形成する。簡単のため、１つの無線基地局が１つのセルを形成するように図示されているが、セルを複数のセクタに分割してもよい。また、より多くの又はより少ない数の無線基地局制御装置や無線基地局が利用されてもよい。【００３２】
コアネットワーク６０２は、移動管理、呼制御、交換機能その他のサービス制御を行なう。【００３３】
無線基地局制御装置６０４−１，２，．．．は、複数の無線基地局６０６−１，２，．．．の制御、無線リソースの管理、無線アクセス制御等を行なう。無線基地局制御装置は、先に説明したＲＴＤを報知情報として送信するように、無線基地局に与える。本実施例による無線基地局制御装置は、これに加えて、又は、これに替えて、無線基地局から送信される所定のフレームと、周辺の隣接する無線基地局から送信される所定のフレームとの間の時間差（ＳＦ＿ＲＴＤ）を報知情報として送信するように無線基地局に与える。尚、ＲＴＤは隣接する無線基地局間の任意のフレーム同士の時間差であるのに対して、ＳＦ＿ＲＴＤは隣接する無線基地局間の所定のフレーム同士の時間差である点で相異する。【００３４】
図５は、無線基地局制御装置における上記の機能に関する部分的な機能ブロック図を示す。図示されるように、無線基地局制御装置は、基準時間差測定部（ＲＴＤ測定部）１００２と、フレーム番号検出部１００４と、システムフレーム時間差測定部（ＳＦ＿ＲＴＤ測定部）１００６と、報知情報作成部１００８とを有する。配下の無線基地局（ＢＴＳ）から受信した信号は、ＲＴＤ測定部１００２に与えられ、異なる無線基地局からの直近のフレーム同士の時間差が測定され、測定結果が基準時間差ＲＴＤとして出力される。また、配下の無線基地局から受信された信号は、フレーム番号検出部１００４にも与えられ、受信した信号中の個々のフレームのフレーム番号が検出され、検出結果がＳＦ＿ＲＴＤ測定部に与えられる。
ＳＦ＿ＲＴＤ測定部１００６では、所定のフレーム同士の時間差が測定され、測定結果がシステムフレーム時間差ＳＦ＿ＲＴＤとして出力される。尚、測定の１手法として、システムフレームの先頭部分の送信時刻を通知することでその時間差により求めることが挙げられる。【００３５】
例えば、このＳＦ＿ＲＴＤは、ある無線基地局から送信されるシステムフレーム中の先頭フレームの開始タイミングと、隣接する無線基地局から送信されるシステムフレーム中の先頭フレームの開始タイミングとの間の時間差に相当する。言い換えれば、ある無線基地局及び隣接する無線基地局から送信されるシステムフレーム中のフレームのうち、同じフレーム番号（例えばフレーム番号＃０）を有するフレーム同士の時間差である。【００３６】
また、所定フレームとして、報知情報インデックスを格納するフレームとすることもできる。例えば、移行元のセルにおいて送信される報知情報インデックスを含むフレームと、移行先のセルにおいて送信される直近の報知情報インデックスを含むフレームとの時間差とするのである。これにより、システムフレームのずれについては不確定の要素があるものの、移行元の報知情報インデックスが格納されたフレームを基準として隣接セルの報知情報インデックスが格納された直近のフレームをすぐに移動局が受信することができる。【００３７】
報知情報作成部１００８は、測定されたＲＴＤ及びＳＦ＿ＲＴＤを含む報知情報を作成し、それを配下の無線基地局に向けて送信する。【００３８】
さて、図４の説明に戻るが、無線基地局６０６−１，２，．．．は、セル内の移動局と無線リンクを通じて通信を行う。移動局に伝送されるＰＣＣＰＣＨは、図２に示した情報の構成を持ち、その構成に従って伝送される。【００３９】
図６は、移動局６１０の詳細な機能ブロック図を示す。移動局は、ＲＦインターフェース部７０２と、モデム部７０４と、モデム制御部７０６と、コーデック部７０８と、デュアルポートＲＡＭ７１０と、割込制御部７１２，７１４と、ＲＩＳＣ部７１６とを有する。モデム部７０４は、復調部７４２と、セルサーチ部７４４と、レベル測定部７４６とを有する。ＲＩＳＣ部７１６は、タイミング管理部７１８を有する。【００４０】
ＲＦインターフェース部７０２は、例えば図４の６０６−１，２に示されるような無線基地局との間の信号の送受信を行なう。【００４１】
モデム部７０４は、移動局が送受信する信号の変復調等を実行する。復調部７４２は、例えばＰＣＣＰＣＨのようなチャネルで伝送された信号を復調し、復調された信号をコーデック部７０８に与える。レベル測定部７４６は、自局が在圏するセル及び周辺セルからの信号レベル（例えば、受信電界強度ＲＳＳＩ：Ｒｅｃｅｉｖｅｄ  Ｓｉｇｎａｌ  Ｓｔｒｅｎｇｔｈ  Ｉｎｄｉｃａｔｏｒ）を測定する。セルサーチ部７４４は、待ち受け時及び通信時において、いわゆる３段階セルサーチを行い、その過程で取得した隣接セルのフレームタイミングをレベル測定部７４６に与える。【００４２】
モデム制御部７０６は、ＲＩＳＣ部７１６及びデュアルポートＲＡＭ７１０等とやりとりを行ないながら、モデム部７０４内の各機能要素の動作を制御する。例えば、モデム制御部７０６は、モデム部７０４内の機能要素のパラメータを、ＲＳＩＣ部７１６から指示された値に設定する。また、モデム制御部７０６は、レベル測定部７４６で測定した周辺セルに関する受信レベルをＲＩＳＣ部７１６に通知する。【００４３】
コーデック部７０８は、受信及び復調された信号について、誤り訂正復号化や誤り検出を行なう。例えば、受信データがターボ（Ｔｕｒｂｏ）符号化されている場合には、ターボ復号化を行い、更に、ターボ復号後のデータについてＣＲＣ（ＣＲＣ：Ｃｙｃｌｉｃ  Ｒｅｄｕｎｄａｎｃｙ  Ｃｈｅｃｋ）チェックを行うのである。そして、コーデック部７０８は、復号したデータのうち、誤り検出の結果が肯定的であったもの（信号内容に含まれる誤りが許容範囲内であったもの）を、デュアルポートＲＡＭ７１０に書き込む。誤り検出の結果が否定的であったものは、例えば破棄される。また、コーデック部７０８は、送信される信号に対しては、誤り訂正符号化を行なう。デュアルポートＲＡＭ７１０に信号内容が書き込まれると、コーデック部７０８は割込制御部７１２を起動して、ＲＩＳＣ部７１６にトリガを与える。【００４４】
デュアルポートＲＡＭ７１０は、復調されそこに書き込まれた信号内容を記憶する。デュアルポートＲＡＭ７１０は、ＲＩＳＣ部７１６及びモデム制御部７０６とやりとりを行なうことができるように、双方向性のポートを有する。【００４５】
ＲＩＳＣ部７１６は、移動局内の各機能要素に関する全体的な制御を行なう。ＲＩＳＣ部７１６は、デュアルポートＲＡＭ７１０に書き込まれた信号内容を抽出し、解読し、セル情報を管理するレイヤ３へ通知する。ＲＩＳＣ部７１６は、レイヤ３による指示内容に従って、配下の機能要素を制御するための信号を出力する。
また、タイミング管理部７１８は、ＰＣＣＰＣＨを介して受信したＲＴＤや、ＳＦ＿ＲＴＤをコーデック部７０８を介して取得し、記憶する機能を有するとともに、サービングセルや周辺セルについてのフレームタイミングを管理、記憶する。【００４６】
次に、待ち受け状態、通信中状態のそれぞれにおける動作について順に説明する。
・「待ち受けセルの移行」
移動局が待ち受けセルを切り換える場合の動作について説明する。【００４７】
図４において、移動局がＢＴＳ１のセル６０８−１からＢＴＳ２のセル６０８−２に移行する場合について説明する。
ＢＴＳ１のセル６０８−１内に在圏し、ＢＴＳ１を待ち受ける対象のＢＴＳとして選択している移動局は、ＢＴＳ１からのＰＩＣＨ（Ｐａｇｉｎｇ  Ｉｎｄｉｃａｔｏｒ  Ｃｈａｎｎｅｌ）、ＣＰＩＣＨを定期的に受信する。【００４８】
これは、図１に示したフレームのうち自局がＰＩＣＨを受信すべき部分を定期的に受信することに相当するため、移動局は、ＢＴＳ１が送信するシステムフレームの先頭タイミング等をタイミング管理部７１８で管理している。尚、タイミングの管理は、例えば、自局のなかで生成する基準時刻を記憶すればよい。
また、先に説明したように、タイミング管理部７１８は、ＢＴＳ１の報知チャネルであるＰＣＣＰＣＨを介してＲＴＤや、ＳＦ＿ＲＴＤを受信し、記憶している。【００４９】
以上のようであるから、ＢＴＳ１からＢＴＳ２へ移動する際には、移動局は、例えば、タイミング管理部７１８で管理しているＢＴＳ１についてシステムフレームの先頭に対してＳＦ＿ＲＴＤで示される時間だけずらした（遅延させた）タイミングを算出し、そのタイミングで、ＢＴＳ２からのＣＰＩＣＨの受信を行って受信レベルを測定するとともに、そのタイミングでＰＣＣＰＣＨの報知情報インデックス（各セルとも先頭フレームに格納されているものとする）部分を受信する。
尚、いずれの基地局についても報知情報インデックスの送信周期が同じである場合は、ＢＴＳ１からの報知情報インデックスを受信したタイミングを移動局はタイミング管理部７１８で記憶しておき、そのタイミングに対してＳＦ＿ＲＴＤだけずらしたタイミングで受信を行えば、ＢＴＳ２からの報知情報インデックスを直接受信することができる。もちろん、この場合は、ＳＦ＿ＲＴＤは、システムフレーム間の時間差でなくとも、報知情報インデックスの送信フレーム間の（最小）時間差であれば足ることは明らかである。【００５０】
また、例えば、ＢＴＳ１とＢＴＳ２でＰＣＣＰＣＨにおいて、待ち受け条件を含むフレーム番号が同じ場合には、ＢＴＳ１についての待ち受け条件を受信した際に、そのフレーム番号を記憶しておき、そのフレーム番号に対応するフレームのタイミングに対してＳＦ＿ＲＴＤだけずらしたタイミングでＢＴＳ２からの待ち受け条件を直接的に受信することもできる。【００５１】
以上のように、本実施例によれば、待ち受け条件を移動局の負荷が少なく受信することができる。
・「ハンドオーバ」
移動局は、移行元の無線基地局であるＢＴＳ１から送信されるＰＣＣＰＣＨをあらかじめ受信し、受信情報に含まれるＳＦ＿ＲＴＤを取り出してタイミング管理部７１８に記憶する。そして、サービングセルのＣＰＩＣＨの受信レベルの低下等を契機として、タイミング管理部７１８で管理しているＢＴＳ１についてシステムフレームの先頭に対してＳＦ＿ＲＴＤで示される時間だけずらした（遅延させた）タイミングを算出し、そのタイミングで、ＢＴＳ２からのＣＰＩＣＨの受信を行って受信レベルをレベル測定部７４４により測定し、レベル測定部７４４によりＢＴＳ２からのＣＰＩＣＨの方がＢＴＳ１からのＣＰＩＣＨより受信品質が良かった場合等は、測定結果をＢＴＳ１に報告する。好ましくはこの際、又は、その後実際にハンドオーバ先がＢＴＳ２であることをＢＴＳ１から通知された場合に、移動局は、既に取得すみのＳＦ＿ＲＴＤをタイミング管理部７１８から読み出して、同様にタイミング管理部７１８に記憶している下りデータチャネルの先頭のフレーム（＃０）とＰＣＣＰＣＨの先頭のフレーム（＃０）の間の時間差ｔoffとの差分を演算し、オフセット情報としてＢＴＳ１に送信する。
尚、図３の例でいえば、ｔoffからＳＦ＿ＲＴＤを減算してｔoff'を求めるのである。【００５２】
従って、移動局は、ＢＴＳ２についてＰＣＣＰＣＨの受信を行って、フレーム番号を特定し、ＢＴＳ１について下りデータチャネルの対応するフレームとのずれ量を算出するという負荷が軽減されることとなる。
【実施例２】
【００５３】
上記の実施例によれば、ＳＦ＿ＲＴＤを用いているが、このＳＦ＿ＲＴＤは、移動局が測定したものではなく、無線基地局制御装置ＲＮＣ側から通知されるものである。【００５４】
従って、移動局が取得するＳＦ＿ＲＴＤには基地局から移動局間の距離による遅延時間等による誤差が生じる可能性が大きい。実施例２では、そのような誤差が補正される。  本実施例によれば、移行先でのシステムフレームの開始タイミングＳＦＴ＿ｂは、次のようにして導出される。【００５５】
（１）ＭＦＴ＿ａ＞ＭＦＴ＿ｂであるとき
ＳＦＴ＿ｂ＝ＳＦＴ＿ａ＋ＳＦ＿ＲＴＤ＿ｂ＋（ＭＦＴ＿ｂ−ＭＦＴ＿ａ＋Ｎｃ）−（ＳＦ＿ＲＴＤ＿ｂ％Ｎｃ）
（２）ＭＦＴ＿ａ≦ＭＦＴ＿ｂであるとき
ＳＦＴ＿ｂ＝ＳＦＴ＿ａ＋ＳＦ＿ＲＴＤ＿ｂ＋（ＭＦＴ＿ｂ−ＭＦＴ＿ａ）−（ＳＦ＿ＲＴＤ＿ｂ％Ｎｃ）
但し、記号の意味は次のとおりである：
ＭＦＴ＿ａ：移行元セルａの無線基地局から受信されるフレームのフレーム境界と、移動局のシステムフレーム時間の基準時点との時間差
ＭＦＴ＿ｂ：移行先セルｂの無線基地局から受信されるフレームのフレーム境界と、移動局のシステムフレーム時間の基準時点との時間差
ＳＦＴ＿ａ：移行元セルａに関するシステムフレームの開始タイミング
ＳＦＴ＿ｂ：移行先セルｂに関するシステムフレームの開始タイミング
ＳＦ＿ＲＴＤ＿ｂ：ＲＮＣ側から通知された移行先セルｂに対するシステムフレーム時間差
Ｎｃ：１フレームを構成するチップ数（38400Chip）。
また、Ａ％ＢはＡをＢで除算したときの剰余を表す。【００５６】
例えば、図８に示される例のように、
ＳＦＴ＿ａが、３８８００チップであり、
ＭＦＴ＿ａが、４００チップであり、
ＭＦＴ＿ｂが、５００チップであり、
Ｎｃが、３８４００チップであるとする。
そして、ＳＦ＿ＲＴＤ＿ｂが、正しくは３８５００チップであるが、誤差によって３８６００であるとして移動局が受信したとする。この場合に、何らの補正も行なわなければ、移行先セルｂに関するシステムフレームの開始タイミングＳＦＴ＿ｂは、
ＳＦＴ＿ｂ＝３８８００＋３８６００＝７７４００チップ  となる。【００５７】
上記の補正を行なうと、
ＳＦＴ＿ｂ＝３８８００＋３８６００＋（５００−４００）−（３８６００％３８４００）＝３８８００＋３８５００＝７７３００チップ  となり、誤差が適切に補正される。【００５８】
以上、本発明の好ましい実施例が説明されたが、本発明はこれに限定されるわけではない。本発明の要旨の範囲内で種々な修正、変形及び変更等が可能である。
【図１】
0004448516.tif 000002
【図２】
0004448516.tif 000003
【図３】
0004448516.tif 000004
【図４】
0004448516.tif 000005
【図５】
0004448516.tif 000006
【図６】
0004448516.tif 000007